(57)【要約】  履物物品は、第１の領域および第２の領域を有する甲部を含む。履物は、甲部に結合された靴底構造体も含む。靴底構造体は、流体が入ったブラダーを含む。また、履物は、引張構造体を含み、引張構造体は甲部の第１の領域に結合されており、引張構造体は靴底構造体を通して延在しており、および引張構造体は甲部の第２の領域に結合されている。引張構造体は、ブラダーに作用可能に結合されている。引張構造体は、引張構造体における張力の増大によりブラダーを屈曲させるように作用可能である。
2016512784.tif 000002
【特許請求の範囲】
【請求項１】
着用者の足に着用するように構成された履物物品であって、前記履物物品が、
第１の領域および第２の領域を有する甲部と、
前記甲部に結合された靴底構造体であって、前記靴底構造体は流体が入ったブラダーを含んでいる、靴底構造体と、
前記甲部の第１の領域に結合されており、前記靴底構造体を通って延在しており、および前記甲部の第２の領域に結合されている、引張構造体であって、前記引張構造体が前記ブラダーに作用可能に結合されており、前記引張構造体が引張構造体における張力の増大により前記ブラダーを屈曲させるように作用可能である、引張構造体と、
を備える、履物物品。
【請求項２】
前記ブラダーが外面を含んでおり、かつ
前記履物物品が前記外面に結合されたトンネル部材をさらに有しており、
前記トンネル部材および前記外面が協働して前記靴底構造体を通るトンネルを画定しており、
前記引張構造体が前記ブラダーに作用可能に結合するように前記トンネルを通って延在している請求項１に記載の履物物品。
【請求項３】
前記ブラダーが第１の小室部および第２の小室部を含んでおり、
前記第１の小室部および前記第２の小室部が柔軟性のある接合部によって取り付けられており、
前記第１の小室部と前記第２の小室部と前記柔軟性のある接合部との間にチャネルが画定されており、
前記引張構造体が前記ブラダーに作用可能に結合するように前記チャネルを通って延在している請求項１に記載の履物物品。
【請求項４】
前記ブラダーをサポートしているとともに前記ブラダーに結合されている、ケージをさらに備えており、
前記ケージが通路を画定しており、前記引張構造体が前記ブラダーに作用可能に結合するように前記通路を通って延在している請求項３に記載の履物物品。
【請求項５】
前記通路が、前記靴底構造体を概ね通って延在する中間部を有しており、かつ前記通路が、前記中間部から概ね前記甲部に向かって延在している少なくとも１つの上向き端部を含んでいる請求項４に記載の履物物品。
【請求項６】
前記甲部が、内側面および外側面を含んでおり、前記通路が前記中間部から概ね前記甲部の内側面に向かって延在する内側上向き端部を含んでおり、および前記通路が前記中間部から前記甲部の外側面に向かって延在する外側上向き端部を含んでいる請求項５に記載の履物物品。
【請求項７】
前記甲部が、上下方向を画定しており、および前記少なくとも１つの上向き端部が、前記上下方向に対して正の角度で配置されている請求項５に記載の履物物品。
【請求項８】
前記第１の領域が前記甲部の内側面に画定されており、および前記第２の領域が前記甲部の外側面に画定されている請求項１に記載の履物物品。
【請求項９】
前記第１の領域と前記第２の領域とのうちの少なくとも一方が閉合領域を含んでおり、前記閉合領域が閉合要素にサポートを与えるように作用可能であり、
前記引張構造体は、前記閉合領域に結合されているとともに、前記閉合要素が緩められた位置から締められた位置へと移行すると、張力が増大するように作用可能である請求項１に記載の履物物品。
【請求項１０】
前記閉合領域は前記閉合要素が前記緩められた位置から前記締められた位置へと移行すると大きさが縮小するように作用可能である開口部を含んでおり、かつ前記履物物品が前記閉合要素をさらに含んでいる請求項９に記載の履物物品。
【請求項１１】
前記閉合要素は、靴ひもである請求項１０に記載の履物物品。
【請求項１２】
前記第１の領域がヒールストラップの第１の端部を含んでいるとともに前記第２の領域がヒールストラップの第２の端部を含んでおり、前記ヒールストラップが前記甲部の踵領域にわたって延在しており、かつ
前記引張構造体が、前記ヒールストラップの第１の端部に結合されており、靴底構造対を通って延在しており、および前記ヒールストラップの第２の端部に結合されている請求項１に記載の履物物品。
【請求項１３】
前記引張構造体は、実質的に固定の長手方向長さを有する請求項１に記載の履物物品。
【請求項１４】
前記引張構造体は、少なくとも１つのストランドを含む請求項１に記載の履物物品。
【請求項１５】
着用者の足に着用するように構成された履物物品であって、前記履物物品が、
間隙によって分離された第１の閉合領域および第２の閉合領域を有する甲部であって、第１の閉合領域と第２の閉合領域とが緩められた位置と締められた位置とを有する閉合要素をサポートするように作用可能であり、前記閉合要素が前記緩められた位置から前記締められた位置へと移行すると甲部を着用者の足に選択的に固定するために前記間隙の大きさを縮小するように作用可能である、甲部と、
前記甲部に結合された靴底構造体であって、前記靴底構造体が流体が入ったブラダーを含んでいる、靴底構造体と、
前記甲部の第１の閉合領域に結合されており、前記靴底構造体を通って延在しており、および前記甲部の第２の閉合領域に結合されている、閉合引張構造体であって、前記閉合引張構造体が前記ブラダーに作用可能に結合されており、前記閉合要素が前記緩められた位置から前記締められた位置へと移行すると前記閉合引張構造体が前記ブラダーを屈曲させるように作用可能である、閉合引張構造体と、
を含む、履物物品。
【請求項１６】
前記ブラダーが外面を含んでおり、前記履物物品が前記外面に結合されたトンネル部材をさらに有しており、前記トンネル部材および前記外面が協働して前記靴底構造体を通るトンネルを画定しており、前記閉合引張構造体が前記ブラダーに作用可能に結合するように前記トンネルを通って延在している請求項１５に記載の履物物品。
【請求項１７】
前記ブラダーが第１の小室部および第２の小室部を含んでおり、前記第１の小室部と前記第２の小室部とが柔軟性のある接合部によって取り付けられており、前記第１の小室部と前記第２の小室部と前記柔軟性のある接合部との間にチャネルが画定されており、前記閉合引張構造体が前記ブラダーに作用可能に結合するように前記チャネルを通って延在している請求項１５に記載の履物物品。
【請求項１８】
前記ブラダーをサポートしているとともに、前記ブラダーに結合するように前記チャネル内に少なくとも部分的に収容されている、ケージをさらに備えており、前記ケージが通路を画定しており、前記閉合引張構造体が前記通路を通って延在している請求項１７に記載の履物物品。
【請求項１９】
前記第１の閉合領域と前記第２の閉合領域とのうちの少なくとも一方が前記閉合要素を受けるように構成された開口部を備えており、前記閉合引張構造体が前記開口部の付近において前記第１の閉合領域と前記第２の閉合領域とのうちの少なくとも一方に結合されている請求項１５に記載の履物物品。
【請求項２０】
前記閉合要素をさらに含んでおり、かつ前記閉合要素が靴ひもである請求項１５に記載の履物物品。
【請求項２１】
前記閉合引張構造体が、少なくとも１つのストランドを含んでいる請求項１５に記載の履物物品。
【請求項２２】
前記甲部が、前記甲部の踵領域にわたって延在するヒールストラップをさらに含んでおり、かつ
前記履物物品が、前記ヒールストラップの第１の端部に結合されており、前記靴底構造体を通って延在しており、および前記ヒールストラップの第２の端部に結合されている、ヒール引張構造体をさらに備えており、前記ヒール引張構造体が、前記ブラダーに作用可能に結合されているとともに前記ブラダーを屈曲させるように作用可能である請求項１５に記載の履物物品。
【請求項２３】
着用者の足に着用するように構成された履物物品であって、前記履物物品が、
第１のひも穴を備えた内側面と、第２のひも穴を備えた外側面と、前記内側面と前記外側面との間に画定された間隙と、を有する甲部と、
前記第１のひも穴および前記第２のひも穴に受けられているとともに、前記甲部を着用者の足に選択的に固定するために前記第１のひも穴と前記第２のひも穴とのうちの少なくとも一方を他方のひも穴に向かって選択的に移動させるように作用可能である、靴ひもと、
前記甲部の踵領域を横切って延在しているヒールストラップであって、前記ヒールストラップが前記内側面に配置された第１の端部と前記外側面に配置された第２の端部とを含んでいる、ヒールストラップと、
前記甲部に結合された靴底構造体であって、前記靴底構造体は流体が入ったブラダーを含んでおり、前記ブラダーが、第１の小室部と、第２の小室部と、前記第１の小室部と前記第２の小室部とを結合する柔軟性のある接合部と、を含んでいる、靴底構造体と、
前記第１のひも穴付近において前記甲部に結合されており、前記第１のひも穴から離れる方向に扇形に広がっており、前記靴底構造体を通って延在しており、前記第２のひも穴に向かって収束しており、および前記第２のひも穴付近において前記甲部に結合されている、複数の閉合ストランドであって、前記複数の閉合ストランドは前記ブラダーに作用可能に結合されているとともに、前記複数の閉合ストランドは前記靴ひもが前記甲部を着用者の足に固定する結果として前記第１の小室部と前記第２の小室部とのうちの少なくとも一方を他方に対して屈曲させるように集合的に作用可能である、複数の閉合ストランドと、
前記ヒールストラップの第１の端部に結合されており、前記ヒールストラップの第１の端部から離れる方向に扇形に広がっており、前記靴底構造体を通って延在しており、前記ヒールストラップの第２の端部に向かって収束しており、および前記ヒールストラップの第２の端部に結合されている、複数のヒールストランドであって、前記複数のヒールストランドが前記ブラダーに作用可能に結合されているとともに、前記複数のヒールストランドが前記甲部の屈曲の結果として前記第１の小室部と前記第２の小室部とのうちの少なくとも一方を他方に対して屈曲させるように集合的に作用可能である、複数のヒールストランドと、
を備える、履物物品。
【発明の詳細な説明】
【背景技術】
【０００１】
履物物品は、一般に、甲部と靴底構造体との２つの主要要素を含む。甲部は、足を快適かつ確実に収容するために履物内部に空所を形成するように縫合または接着接合された複数の素材（たとえば布地、ポリマーシート層、ポリマーフォーム層、皮革、合成皮革）で形成されることが多い。より具体的には、甲部は、概ね足の甲とつま先領域にわたって延在し、足の内側面と外側面とに沿い、足の踵領域の周囲に延在する構造体を形成する。甲部は、履物の合い具合を選択的に調整するためと、甲部内の空所に足を出し入れすることができるようにするために、閉合要素（たとえば、靴ひも、バックル、ストラップなど）も組み込み得る。さらに、甲部は、履物の調節機能と快適性を向上させるために、閉鎖要素の下に延在する舌皮を含むことが可能であり、甲部は、足の踵領域を安定させるためにヒールカウンタを組み込み得る。
【０００２】
靴底構造体は、甲部の下部に固定され、足と地面との間に配置される。たとえば運動用履物において、靴底構造体は、ミッドソールと、アウトソールと、を含むことが多い。ミッドソールは、ウォーキング、ランニング、およびその他の歩行活動時に地面反力をやわらげる（すなわち緩衝作用をもたせる）ポリマーフォーム材料で形成され得る。ミッドソールは、たとえば力をさらにやわらげ、安定性を向上させ、または足の動きに影響を与える、流体で満たされた小室、プレート、モデレータ、またはその他の要素も含み得る。構成によっては、ミッドソールは主として、液体で満たされた小室で形成されることがある。アウトソールは、履物の地面接触要素を形成し、通常は、牽引力を与えるために凹凸を含むことがある耐久性のある耐摩耗性のゴム材料で作られる。靴底構造体は、履物の快適性を向上させるために足の裏に接触し、サポートするように甲部の空所内に配置された中敷きも含み得る。
【先行技術文献】
【特許文献】
【０００３】
【特許文献１】米国特許第６，１１９，３７１号明細書
【特許文献２】米国特許第６，６６５，９５８号明細書
【発明の概要】
【課題を解決するための手段】
【０００４】
着用者の足に着用するように構成された履物物品を開示する。この履物物品は、第１の領域および第２の領域を有する甲部を含む。この履物物品は、甲部に結合された靴底構造体も含む。靴底構造体は、流体が入ったブラダーを含む。この履物は、甲部の第１の領域に結合され、靴底構造体を通って延在し、甲部の第２の領域に結合された、引張構造体をさらに含む。引張構造体は、ブラダーに作用可能に結合されている。引張構造体は、引張構造体における張力の増大によりブラダーを屈曲させるように作用可能である。
【０００５】
また、着用者の足に着用するように構成された履物物品が開示される。この履物物品は、間隙によって分離された第１の閉合領域と第２の閉合領域とを有する甲部を含む。第１の閉合領域と第２の閉合領域とは、緩められた位置と締められた位置とを有する閉合要素をサポートするように、作用可能である。閉合要素は、緩められた位置から締められた位置へと移行すると、甲部を着用者の足に選択的に固定するために間隙の大きさを小さくするように作用可能である。この履物は、甲部に結合された靴底構造体も含み、靴底構造体は流体が入ったブラダーを含む。さらに、この履物は、甲部の第１の閉合領域に結合され、靴底構造体を通って延在し、甲部の第２の閉合領域に結合された閉合引張構造体を含む。閉合引張構造体は、ブラダーに作用可能に結合されている。閉合引張構造体は、閉合要素が緩められた位置から締められた位置へと移行するとブラダーを屈曲させるように作用可能である。
【０００６】
さらに、着用者の足に着用するように構成された履物物品が開示される。この履物物品は、第１のひも穴を備えた内側面と第２のひも穴を備えた外側面とを有する甲部を含む。内側面と外側面の間には間隙が画定されている。この履物は、第１のひも穴と第２のひも穴とで受けられ、甲部を着用者の足に選択的に固定するために第１のひも穴と第２のひも穴とのうちの少なくとも一方を他方に向かって選択的に移動させるように作用可能である靴ひもも含む。さらに、この履物は、甲部の踵領域にわたって延在するヒールストラップを含む。ヒールストラップは、内側面に配置された第１の端部と、外側面に配置された第２の端部とを含む。また、この履物は、甲部に結合された靴底構造体を含む。靴底構造体は、流体が入ったブラダーを含む。ブラダーは、第１の小室部と、第２の小室部と、第１の小室部と第２の小室部とを結合する柔軟性のある接合部とを含む。また、この履物は、第１のひも穴に隣接して甲部に結合され、第１のひも穴から離れる方向に扇形に広がり、靴底構造体を通って延在し、第２のひも穴に向かって収束し、第２のひも穴に隣接して甲部に結合された複数の閉合ストランドを含む。複数の閉合ストランドは、ブラダーに作用可能に結合され、靴ひもが甲部を着用者の足に固定する結果として第１の小室部と第２の小室部とのうちの少なくとも一方を他方に対して屈曲させるように集合的に作用可能である。さらに、この履物は、ヒールストラップの第１の端部に結合され、ヒールストラップの第１の端部から離れる方向に広がり、靴底構造体を通って延在し、ヒールストラップの第２の端部に向かって収束し、ヒールストラップの第２の端部に結合された複数のヒールストランドを含む。複数のヒールストランドは、ブラダーに作用可能に結合され、甲部の屈曲の結果として、第１の小室部と第２の小室部の少なくとも一方を他方に対して屈曲させるように集合的に作用可能である。
【０００７】
本開示の態様を特徴付ける新規性の利点および特徴は、添付の特許請求の範囲において詳細に記載されている。しかし、新規性の利点および特徴をよりよく理解するために、本開示に関する様々な構成および概念を説明および図示する以下の説明および添付図面を参照することができる。
【０００８】
上記の要約および以下の発明を実施するための形態は、添付図面と併用して読めば、よりよく理解できるであろう。
【図面の簡単な説明】
【０００９】
【図１】本開示の例示の実施形態による引張ストランドを備えた履物物品を示す斜視図である。
【図２】図１の履物物品を示す分解図である。
【図３】図１の履物物品を示す、線３−３に沿った断面図である。
【図４】例示の実施形態による靴底構造体のブラダーを屈曲させる引張ストランドを示す、図１の履物物品の断面図である。
【図５】図１の履物物品の一部を示す斜視図である。
【図６】図５の履物物品の一部を示す斜視図であり、他の例示の実施形態によるブラダーを屈曲させる引張ストランドを示す図である。
【図７】本開示の他の実施形態による履物物品を示す側面図である。
【図８】図７の履物物品を示す分解図である。
【発明を実施するための形態】
【００１０】
以下の説明および添付図面に、甲部の各領域を靴底構造体に作用可能に結合する引張構造体を有する様々な履物物品を開示する。たとえば、引張構造体は、甲部の第１の領域から、足の下の靴底構造体を通り、甲部の第２の領域まで連続して延在し得る１つまたは複数のストランドを含み得る。また、ある実施形態では、靴底構造体は、流体が入ったブラダー（bladder）を含むことができ、ストランドは、ブラダーに結合され得る。また、ストランドは、靴ひもなどの閉合要素を緩められた位置から締められた位置へと移行させると、ブラダーが屈曲するように、閉合要素を、靴底構造体とブラダーとに作用可能に結合することができる。また、ストランドは、甲部の踵領域または足首領域と靴底構造体およびブラダーとの間に延在してよく、踵領域または足首領域を、靴底構造体およびブラダーに作用可能に結合することができる。したがって、ストランドは、ストランドにおける張力により、甲部の踵／足首領域を着用者の踵に引き込むことができる。また、引張構造体は、ランニング、跳躍、旋回およびその他の運動時に、足が動くにつれて、甲部、靴底構造体、および／またはブラダーを、屈曲、移行させ、着用者の足の形状に従わせることができる。したがって、引張構造体は、着用者の足の快適性とサポートとを向上させることができる。
【００１１】
この履物物品を、例示のためにランニングシューズの構成を有するものとして開示する。甲部を含む、履物物品に付随する概念は、たとえばバスケットボールシューズ、ベースボールシューズ、クロストレーニングシューズ、サイクリングシューズ、フットボールシューズ、テニスシューズ、ゴルフシューズ、サッカーシューズ、ウォーキングシューズ、ハイキングブーツ、スキーおよびスノーボードブーツ、およびアイススケート靴およびローラースケート靴など、他の様々な種類の運動用履物にも適用可能である。これらの概念は、ドレスシューズ、ローファ、サンダル、ワークブーツなどの運動用以外と一般にみなされている種類の履物にも適用可能である。したがって本明細書で開示される概念は、多種多様な履物に適用される。
【００１２】
次に図１〜図３を参照すると、本開示の例示の実施形態による履物物品１０が示されている。履物１０は、大まかに、甲部１２と、靴底構造体１４と、引張構造体１６と、を含む。ある実施形態では、引張構造体１６は、以下で詳述するように、ワイヤ、太綱またはその他の細長い柔軟性のあるストランドなどの、少なくとも１つまたは複数のストランド８２、８４、８６を含み得る。しかし、本開示の範囲から逸脱することなく、引張構造体１６は、ストラップ、リボン、または他の構造体を含んでよいことがわかるであろう。
【００１３】
靴底構造体１４は、甲部１２の下部領域に固定され、甲部１２と、歩道、草地などの地表面との間に延在する。甲部１２は、着用者の足に、快適で安全な覆いを与える。靴底構造体１４は、たとえば力をやわらげ、安定性を向上させ、または足の動きに影響を及ぼすように足の下に延在する。引張構造体１６は、履物１０が着用者の足にしっかりと快適に合い、履物１０が足と共に屈曲し、履物１０が、ランニング、跳躍、旋回およびその他の運動時にサポートを与えるように、甲部１２および靴底構造体１４の異なる領域同士を作用可能に結合させることができる。
【００１４】
以下の説明では、参照のために、履物１０を、内側面１８、外側面２０、前足領域２２、および踵領域２４などの様々な領域に分割する場合がある。本明細書で言及するこれらの領域２２、２４および側面１８、２０は、履物１０の厳密な領域の境界を定めることを意図していない。むしろ、領域２２、２４および側面１８、２０は、履物１０の大まかな領域を表すことと、以下の説明の助けとすることとを意図したものである。履物１０に加えて、領域２２、２４および側面１８、２０は、靴底構造体１４、甲部１２、およびその個々の要素にも適用可能である。また、履物１０は長手方向２８、横断方向３０、および上下方向３２を画定し得る。
【００１５】
前足領域２２は大まかに、つま先と、中足骨を指骨に接続する関節とに対応する履物１０の部分を含む。踵領域２４は、足の踵または足首の後部における、踵骨と、アキレス腱を囲む領域と、を含む、足の後方部に大まかに対応する。内側面１８および外側面２０は、前足領域２２と踵領域２４との間に延在することができ、履物１０の対向する各側面に対応し得る。より具体的には、外側面２０は、足の外側領域、すなわち他方の足から見て外方に向く面に対応し、内側面１８は、足の内側領域、すなわち他方の足の方に向いた面に対応する。
【００１６】
次に甲部１２についてより詳細に説明する。甲部１２は、着用者の足を収容する空所を画定するように縫合、接着接合、または他の方法で接合された様々なシート状の要素で形成され得る。したがって、甲部１２は、足の外側面に沿い、足の内側面に沿って延在し、足の上部領域の上、足の踵の周囲、および足の下部領域の下に延在し得る。
【００１７】
甲部１２は、内側閉合領域２３と外側閉合領域３１とを画定することができ、閉合領域２３、３１の間に間隙２１が画定され得る。閉合領域２３、３１は、靴ひも３４などの閉合要素にサポートを与えるように作用可能とされ得る。靴ひも３４は柔軟性のあるものであってよいが、靴ひも３４の長さが実質的に伸長不能であるように実質的に固定した長さを有し得るか、または靴ひも３４が弾性的に伸長可能であるように弾性的に伸縮性であってもよい。
【００１８】
閉合領域２３、３１はそれぞれ、長手方向２８に略位置合わせされた複数の開口部またはひも穴３３を含むことができる。靴ひも３４は、ひも穴３３で受けられ得、内側閉合領域２３と外側閉合領域３１との間をジグザグに交互に通ることができる。
【００１９】
履物１０は、靴ひも３４以外の閉合要素を含み得ることがわかるであろう。たとえば、履物１０は、パイルテープＶＥＬＣＲＯ（商標）を備えたストラップ、甲部１２の対応する部分にバックルで締まるストラップ、弾性シートまたは弾性ストラップ、スナップ、ボタンまたはその他の閉合要素を含み得る。また、履物１０は、靴ひも３４を甲部１２に取り付けるための剛性リング、ポスト、または、ひも穴３３以外の別の手段を含むことができる。ひも穴３３という用語は、そのようなすべての手段を全般的に指すために使用される。
【００２０】
靴ひも３４または他の閉合要素は、図３に示す靴ひも３４のほどけた位置などの緩められた位置と、図４に示す靴ひも３４の結ばれた位置などの締められた位置とを有することができる。緩められた位置から締められた位置へと移行すると、靴ひも３４内の張力を増すように靴ひも３４の対向する両端がぴんと引っ張られ得る。これによって、閉合領域２３、３１を互いの方向に近づけることができ、間隙２１の幅の大きさを調節することができることがわかるであろう。したがって、甲部１２内部の容量を減少させることができ、甲部１２が着用者の足に固定され得る。その後、着用者の足から甲部１２を緩めて外すために靴ひも３４をほどくことができる。
【００２１】
例示の実施形態では、靴ひも３４は甲部１２の概ね上部に配置され、甲部１２の内側面１８と外側面２０のひも穴３３の間を交互に通過する。しかし、靴ひも３４は甲部１２の別の領域に配置することも可能であることがわかるであろう。
【００２２】
また、甲部１２は、内側面１８と外側面２０との間の間隙２１内に移動可能に配置された舌皮２６を含み得る。舌皮２６は、図２に最もはっきりと示されており、わかりやすいように舌皮２６は内側面１８と外側面２０との間から外に旋回されて図示されている。舌皮２６は、前足領域２２から後方に延在するように下方に旋回させることができる。この位置で、舌皮２６は、靴ひも３４と着用者の足との間の間隙２１内に配置されることが可能であり、それによって足の上で靴ひも３４を緩衝して快適性を向上させる。
【００２３】
次に靴底構造体１４について詳細に説明する。図１および図２に、踵領域２４の下の靴底構造体１４の部分を主として示す。しかし、これらの例示の構成要素は、本開示の範囲から逸脱することなく靴底構造体の他の領域に組み込むことも可能であることがわかるであろう。
【００２４】
図のように、靴底構造体１４はアウトソール３６を含み得る。アウトソール３６は、牽引力を与えるような表面形状とされたゴムなどの耐摩耗性のポリマー材料から成り得る。例示の実施形態においては、アウトソール３６は、互いに独立し、長手方向２８に間隔を置いて配置された複数のパッド３８、４０、４２（図２）を含み得る。したがって、パッド３８、４０、４２の下面（すなわち、履物１０の地面接触面）は、地面、草地、歩道または着用者が踏むその他の表面を捉えることができる。本発明の範囲を逸脱することなく、アウトソール３６は任意の数のパッド３８、４０、４２を含むことができ、パッド３８、４０、４２は靴底構造体１４上の任意の適切な領域に配置可能であることがわかるであろう。
【００２５】
靴底構造体１４は、甲部１２の下面とパッド３８、４０、４２の上面とに柔軟に固定されたミッドソール４４も含み得る。ある実施形態では、ミッドソール４４は、甲部１２および／またはパッド３８、４０、４２に接着取付けされてよい。ミッドソール４４は、ポリウレタンフォーム、エチルビニルアセテートなどのフォーム材で形成することができる。また、ミッドソール４４は、着用者の足に対して緩衝作用を与えるために、地面反力をやわらげることができる。
【００２６】
図２に示すように、ミッドソール４４は、柔軟性のある接合部５１によって接合された弾性的に圧縮可能な複数のブロック４６、４８、５０を含み得る。ブロック４６、４８、５０と接合部５１は、一体構造となるように一体的に接続され得る。ブロック４６、４８、５０は中空で概ねブロック形状であってよく、接合部５１は相対的に薄くシート状であってよい。接合部５１は隣接するブロック４６、４８、５０を接続するようにブロック４６、４８、５０の間に延在することができる。
【００２７】
図１に示すように、パッド３８はブロック４６の下側に直接取り付けられてよく、パッド４０はブロック４８の下側に直接取り付けられてよく、パッド４２はブロック５０の下側に直接取り付けられてよい。したがって、靴底構造体１４は接合部５１を中心に屈曲することができる。靴底構造体１４は、隣接するブロック４６、４８、５０の間に画定された比較的深いチャネルである溝状模様５３（図１）も有することができる。したがって、靴底構造体１４は、ランニング、ウォーキング、跳躍などのときに高い柔軟度を有することができる。
【００２８】
また、ミッドソール４４は、流体（たとえば気体、液体、ゲルなど）を含み得る１つまたは複数のブラダー５８を含むことができる。図２に示すように、ブラダー５８は、それぞれの柔軟性のある接合部５５によって接合された複数の小室部５７、６０、６２を有し得る。ある実施形態では、小室部５７、６０、６２は、接合部５５内の通路を介して流体連通してよい。
【００２９】
ブラダー５８の形状は様々に画定され得る。たとえば、ブラダー５８の形状を制御するために、ブラダー５８は、ブラダー５８の対向する内面に取り付けられた繊維シートを含むことができ、引張糸の張力がブラダー５８の拡張を制限するように、これらの繊維シートの間に複数の引張糸が延在していてよい。詳細は、たとえば、２０００年１２月１９日発行の特許文献１に記載されており、その全体が参照により本明細書に組み込まれる。ブラダー５８の形状は、溶接部、縫合わせ部など他の方法でも制御することができる。
【００３０】
ブラダー５８は、小室部５７がブロック４６内に封入され、小室部６０がブロック４８内に配置され、小室部６２がブロック５０内に配置されるように、ミッドソール４４内に配置され、封入されてよい。したがって、ブラダー５８は、ミッドソール４４に呼応して屈曲し得る。
【００３１】
さらに、靴底構造体１４は、１つまたは複数のトンネル部材７０、７２、７４を含むトンネル構造体を含み得る。トンネル部材７０、７２、７４は、細長いものとすることができ、Ｕ字型の断面を有し得る。また、トンネル部材７０、７２、７４は反転させてブラダー５８の外面６３に取り付けられ得る。例示の実施形態では、トンネル部材７０、７２、７４はブラダー５８の上部外面６３に取り付けられている。また、トンネル部材７０、７２、７４は、横断方向３０に延在するようにそれぞれ小室部５７、６０、６２上の略中央に配置される。また、トンネル部材７０、７２、７４は、外面６３に接着により取り付けられ得る。
【００３２】
したがって、各トンネル部材７０、７２、７４と外面６３とが協働して靴底構造体を通るトンネル７６、７８、８０を画定する。トンネル７６、７８、８０はそれぞれ図１に示され、トンネル８０の断面が図３に示されている。また、履物１０の外部からトンネル７６、７８、８０に届くことができるように、ミッドソール４４はトンネル７６、７８、８０と連通する穴またはスリットなどの複数の開口部６４を含み得る。
【００３３】
図示の実施形態では、トンネル７６、７８、８０は長手方向にまっすぐ、略横断方向３０に延在している。しかし、本開示の範囲から逸脱することなく、トンネル７６、７８、８０は曲線とすることもでき、および／または任意の適切な方向に延在していてもよいことがわかるであろう。また、トンネル７６、７８、８０は、トンネル部材７０、７２、７４以外の構造体によって画定された通路であってもよい。たとえば、トンネル７６、７８、８０は、横断方向３０に位置合わせされた複数の別々の部材によって画定されてよく、またはトンネル７６、７８、８０は他の方法で画定されてもよい。
【００３４】
前述のように、履物１０は引張構造体１６を含み得る。例示の実施形態では、引張構造体１６は複数のストランド８２、８４、８６、詳細には第１のストランド８２と、第２のストランド８４と、第３のストランド８６と、を含む。ただし、引張構造体１６は任意の適切な数のストランド８２、８４、８６を含んでよいことがわかるであろう。本開示の範囲から逸脱することなく、引張構造体１６は、細く平坦なストラップ、それらの構造体の複合体、または他の構造体も含み得る。
【００３５】
ストランド８２、８４、８６は、レーヨン、ナイロン（登録商標）、ポリエステル、ポリアクリル、絹、綿、炭素、ガラス、アラミド（たとえばパラアラミド繊維およびメタアラミド繊維）、超高分子量ポリエチレン、液晶ポリマー、銅、アルミニウム、および／または鋼で作られたワイヤ、ストリング、ひも、様々な柔軟性のある単繊維、繊維、紡ぎ糸、より糸、太綱、またはロープで作られ得る。ストランド８２、８４、８６において使用される個々の単繊維は、単一の材料（すなわち一成分単繊維）で形成されてよく、または複数の材料（すなわち複合単繊維）から形成されてもよい。同様に、異なる単繊維を異なる材料で形成してよい。ストランド８２、８４、８６の太さは、たとえば約０．０３ミリメートルから５ミリメートルの範囲内とすることができる。また、ストランド８２、８４、８６は、略円形の断面、卵形の断面、または他の任意の適切な形状の断面を有してよい。
【００３６】
一例として、ストランド８２、８４、８６のうちの１つまたは複数のストランドは、破壊強度または引張強さ３．１キログラムで重量４５テックスの貼合わせナイロン（登録商標）６．６で形成されてよい。１つまたは複数のストランド８２、８４、８６を、破壊強度または引張強さ６．２キログラムで重量４５テックスの貼合わせナイロン（登録商標）６．６で形成してもよい。他の例としては、１つまたは複数のストランド８２、８４、８６が、内芯を被覆または保護する外側被覆を有してもよい。
【００３７】
ある実施形態では、ストランド８２、８４、８６のうちの少なくとも１本が固定した長手方向の長さを有することができる（たとえば非伸縮性とすることができる）。別の実施形態では、ストランド８２、８４、８６のうちの少なくとも１本が弾性的に伸長可能であってよい。様々な実施形態では、ストランド８２、８４、８６のうちの一部のストランドが非伸縮性であり、他のストランドが伸縮性であってもよい。
【００３８】
図２に示すように、第１のストランド８２は、第１の端部８８と、中間部９０と、第２の端部９２と、を含むことができる。中間部９０は、履物１０の内側面１８と外側面２０との間に横断方向３０に延在するようにトンネル７６に収容され得る。第１の端部８８は、中間部９０から上向きになり得、甲部１２の内側面１８に取り付けられ得る。第１の端部８８は、内側面１８の閉合領域２３の最後部のひも穴３３に直接隣接して甲部１２で終わることができ、その個所に取り付けられ得る。同様に、第２の端部９２は、外側面２０に取り付けられてよく、第２の端部９２は外側面２０上の閉合領域３１の最後部のひも穴３３に直接隣接して甲部１２で終わることができ、その個所に取り付けられ得る。別の実施形態では、端部８８、９２は、ひも穴３３の周縁に少なくとも部分的に巻きつけることができる。また、ある実施形態では、第１の端部８８および第２の端部９２は、甲部１２の材料内に埋め込まれて（たとえばモールド成形されて）よく、端部８８、９２は、甲部１２に接着により取り付けられてよく、端部８８、９２は、留め具で取り付けられてよく、または、端部８８、９２は、別の適切な方式で取り付けられてよい。また、端部８８、９２は、任意の適切な長さだけ甲部１２に取り付けられてよい。たとえば、ある実施形態では、端部８８、９２の終端部のみが甲部１２に取り付けられ、中間部分９０に近い端部８８、９２の他の部分は甲部１２から分離されている。さらに他の実施形態では、各端部８８、９２のより多くの部分（たとえば端部８８、９２の終端部から横断的に延在する中間部９０まで）が、甲部１２に取り付けられる。一方、中間部９０は、トンネル７６内に緩く収容され得る（すなわち、トンネル部材７０およびブラダー５８から分離される）。
【００３９】
第２のストランド８４は、第１の端部９４と、中間部９６と、第２の端部９８と、を含むことができる。中間部９６は、トンネル７８を通って延在してよく、端部９４、９８は、最後部のひも穴３３に直接隣接して甲部１２に結合するように上方に延在してよい。または、第２のストランド８４は、第１のストランド８２と同様にして甲部１２に取り付けられてよく、靴底構造体１４に結合されてよい。
【００４０】
また、第３のストランド８６は、第１の端部１００と、中間部１０２と、第２の端部１０４と、を含み得る。中間部１０２は、トンネル８０を通って延在することができ、端部１００、１０４は、それぞれの最後部のひも穴３３に直接隣接して結合するように上方に延在してよい。または、第３のストランド８６は、第１および第２のストランド８２、８４と同様にして甲部１２に取り付けられ、靴底構造体１４に結合されてもよい。
【００４１】
このようにして、ストランド８２、８４、８６は、相互から離れる方向に扇形に広がり、同じひも穴３３から長手方向に離れる方向に延在し得る。別の言い方をすれば、ストランド８２、８４、８６は、同じひも穴３３に向かって収束し、延在し得る。また、ストランド８２、８４、８６はそれぞれ、それぞれのトンネル７６、７８、８０を通って延在し得る。
【００４２】
図３〜図６に、ストランド８２、８４、８６が履物１０内でどのように機能し得るかという例を示す。図３は、靴ひも３４がほどかれて緩められた位置にある履物１０を示し、図３はニュートラルな、屈曲されていない位置にあるブラダー５８も示す。靴ひも３４がぴんと引っ張られ、結ばれるかまたはその他の方法で締められると、甲部１２の内側面１８と外側面２０が、図４で対向する矢印１０５で表されているように相互に向かって引っ張られ得る。これによって、間隙２１の幅が小さくなり得る。靴ひも３４内の張力を増すことによって、ストランド８２、８４、８６内の張力も増大させることができる。その結果、ストランド８２、８４、８６は、ブラダー５８の小室部５７、６０、６２を、着用者の足の裏に向かって上方に屈曲位置まで引っ張ることができる。たとえば、図４に図示するように、小室部６２の内側面および外側面が、対向する矢印１０７で示すように部分的に着用者の足の内側面と外側面の周りで引き上げられ得る。小室部５７、６０も同様にそれぞれストランド８２、８４によって引き上げられ得る。ストランド８２、８４、８６は、ミッドソール４４も同様に着用者の足に向かって引き上げることができる。
【００４３】
また、図５にほどかれて緩められた靴ひも３４を示す。図５には、ニュートラルな屈曲されていない位置にあるブラダー５８も示す。図６に示すように、靴ひも３４が引っ張られ結ばれると、ストランド８２、８４、８６における張力を増大することができ、それによって小室部５７を、小室部６０に対してそれぞれの柔軟性のある接合部５５を中心にして引っ張り回転させることができる。したがって、図６において矢印１０９で示されているように小室部５７は着用者の踵に向かって柔軟に引き上げられ得る。
【００４４】
前述したように、靴ひも３４を縛ることまたはその他の方法で引っ張ることによって、ストランド８２、８４、８６に張力をかけることができることがわかるであろう。また、運動中などに、たとえば着用者の足の屈曲による甲部１２の屈曲によって、ストランド８２、８４、８６に張力をかけることができることもわかるであろう。このようにして、履物１０内における着用者の足の動きによってブラダー５８の屈曲が起こり得る。
【００４５】
さらに、ストランド８２、８４、８６は、ブラダー５８が着用者の足を少なくとも部分的に「カップ状に囲む」ように、ブラダー５８を屈曲させることができる。また、小室部５７、６０、６２とミッドソール４４のブロック４６、４８、５０は、快適性とサポートが増すように着用者の足に弾性的に押しつけられ、部分的に装着者の足に沿った形状になり得る。ストランド８２、８４、８６内の張力によって、さらに、靴底構造体１４が着用者の足の動きにぴったりと合うように屈曲することができる。したがって、履物１０は足に従うことができ、しかも履物１０は快適に履くことができる。また、サポートをさらに増すために、圧力が上昇するようにブラダー５８の体積が変化し得る。したがって、履物１０は着用者のランニング、跳躍、横跳びおよびその他の運動機能を増強することができる。
【００４６】
次に図７および図８を参照しながら、履物物品１０１０の他の実施形態について説明する。履物１０１０は、図１〜図６の実施形態に関して説明した特徴の少なくとも一部を含み得る。履物１０１０は、大まかに、甲部１０１２と、靴底構造体１０１４と、１つまたは複数の引張構造体１０１６、１０１７と、を含むことができ、それぞれについて以下で詳述する。
【００４７】
甲部１０１２は、前述の実施形態と同様であり得る。甲部１０１２は、甲部１０１２の踵領域１０２４にわたって延在するヒールストラップ１０２５も含み得る。より具体的には、ヒールストラップ１０２５は、踵領域１０２４を横切って延在することができ、内側面１０１８上では第１の端部１０２７で終わることができ、外側面１０２０では第２の端部１０２９で終わることができる。ヒールストラップ１０２５は、縫合、接着または他の方法で甲部１０１２の下層部に取り付けられ得る。甲部１０１２は、１本または複数本の靴ひも１０３４を受け入れるひも穴１０３３も含み得る。履物１０１０は、留め具、バックル、マジックテープ（登録商標）などの他の閉合要素も含み得ることがわかるであろう。
【００４８】
靴底構造体１０１４は、前述の各実施形態と同様の複数のパッド１０３８、１０４０、１０４２、１０４３を備えたアウトソール１０３６を含み得る。また、靴底構造体１０１４は、フォーム材などの弾性的に圧縮可能な材料のブロック１０４６を備えたミッドソール１０４４も含み得る。図８に示すように、ブロック１０４６は、気体、液体、ゲルなどの流体が入ったブラダー１０５８を収納するように、その上面が陥凹されていてよい。図１〜図６に関して説明した実施形態のように、ブラダー１０５８は、多関節型ブラダーとすることができ、柔軟性のある接合部によって接合された複数の小室部を含み得る。したがって、ブラダー１０５８は、１つまたは複数のチャネル１０５９、溝、スリット、輪郭線などを有し得る。チャネル１０５９は、図８に示す実施形態では、アウトソール１０３６の方に向いている。
【００４９】
靴底構造体１０１４は、図８において最もはっきり示されているケージ１０６１をさらに含み得る。ケージ１０６１は、ポリエーテルブロックアミド（ＰＢＡＸ（商標））などの多少柔軟性のあるポリマー材料で作られてよい。ケージ１０６１は、中空であってもよく、またはその他の方法でその中を通る１つまたは複数の通路１０６３、１０６５、１０６７を画定してもよい。ケージ１０６１の通路１０６３、１０６５、１０６７は、相互に接続されてよく、互いに流体連通し得る。ケージ１０６１は、ケージ１０６１の一部がチャネル１０５９の対応するチャネル内にそれぞれ収容されるように、ブラダー１０５８の周囲に延在し得る。したがって、ケージ１０６１は、ブラダー１０５８と結合され得る。ある実施形態では、ケージ１０６１は、２００３年１２月２３日発行の特許文献２の教示を組み込むことができ、同特許は参照によりその全体が本明細書に組み込まれる。ケージ１０６１は、後述するようにブラダー１０５８をサポート、補強および保護することができる。
【００５０】
また、ケージ１０６１は、それぞれが通路１０６３、１０６５、１０６７のそれぞれの部分を画定し得る中間部１０４１、１０４３、１０４５を画定することができる。中間部１０４１、１０４３、１０４５は、着用者の足の下を横断方向１０３０に長く延在することができ、中間部１０４１、１０４３、１０４５は、長手方向１０２３に略平行に、間隔をあけて配置され得る。中間部１０４１、１０４３、１０４５も、ブラダー１０５８のチャネル１０５９内に収容され得る。
【００５１】
ケージ１０６１は、それぞれが通路１０６３、１０６５、１０６７のそれぞれの部分を画定し得る複数の上向きの内側端部１０６９、１０７１、１０７３、１０７５、１０７７、１０７９も含み得る。端部１０６９、１０７１は、中間部１０４１と連通可能であり、中間部１０４１から分岐してよく、端部１０７３、１０７５は、中間部１０４３と連通可能であり、中間部１０４３から分岐してよく、端部１０７７、１０７９は、中間部１０４５と連通可能であり、中間部１０４５から分岐してよい。また、端部１０６９、１０７１、１０７３、１０７５、１０７７、１０７９は、それぞれの中間部１０４１、１０４３、１０４５から上方に延在し得る。また、図７に示すように、端部１０６９、１０７１、１０７３、１０７５、１０７７、１０７９は、上下方向１０３２に対して正の角度で（すなわち、方向１０３２と非平行に）延在することができる。端部１０７９の角度は図７において一例として１１０１で示されている。さらに、端部１０７１、１０７３は上方向に互いに向かって傾斜してよく、接続されてよい。同様に、端部１０７５、１０７７は上方向に互いに向かって傾斜してよく、接続されてよい。
【００５２】
図８に示すように、ケージ１０６１は、それぞれが通路１０６３、１０６５、１０６７のそれぞれの部分を画定し得る複数の上向き外側端部１０８１、１０８３、１０８５、１０８７、１０８９、１０９１をさらに含み得る。端部１０８１、１０８３、１０８５、１０８７、１０８９、１０９１は、管１０６３、１０６５、１０６７の中間部１０４１、１０４３、１０４５と接続されてよく、中間部１０４１、１０４３、１０４５と連通し得る。端部１０８１、１０８３、１０８５、１０８７、１０８９、１０９１は、履物１０１０の外側面１０２０にあることを除き、端部１０６９、１０７１、１０７３、１０７５、１０７７、１０７９と同じように構成され得る。
【００５３】
図７に示すように、端部１０６９、１０７１、１０７３、１０７５、１０７７、１０７９は、靴底構造体１０１４の内側面１０１８の外部に露出させることができる。同様に、端部１０８１、１０８３、１０８５、１０８７、１０８９、１０９１は、靴底構造体１０１４の外側面１０２０に露出させることができる。
【００５４】
引張構造体１０１６（すなわち閉合引張構造体）は、第１のストランド１０８２と、第２のストランド１０８４と、第３のストランド１０８６と、を含み得る。ストランド１０８２、１０８４、１０８６は、図１〜図６の実施形態のストランド８２、８４、８６と多少類似してよい。ただし、ストランド１０８２の端部１０８８は、内側面１０１８の最後部のひも穴１０３３に隣接して甲部１０１２に取り付けられてよく、ケージ１０６１（図７）の上向き端部１０７１内に収容されるように下方に延在し得る。また、ストランド１０８２の中間部１０９０は、ケージ１０６１の中間部１０４１を通って延在し得る。また、端部１０９２は、端部１０８３を通ってケージ１０６１から外に延在してよく、外側面１０２０の最後部のひも穴１０３３に作用可能に結合され得る。
【００５５】
第２のストランド１０８４の端部１０９４は、内側面１０１８の最後部のひも穴１０３３に隣接して甲部１０１２に取り付けられてよく、ケージ１０６１（図７）の上向き端部１０７５内に収容されるように下方に延在してよい。また、ストランド１０８２の中間部１０９６は、ケージ１０６１の中間部１０４３を通って延在してよい。また、ストランド１０８４の端部１０９８は、端部１０８７を通ってケージ１０６１から外に延在してよく、外側面１０２０の最後部のひも穴１０３３に作用可能に結合され得る。
【００５６】
さらに、第３のストランド１０８６の端部１１００は、内側面１０１８の最後部のひも穴１０３３に隣接して甲部１０１２に取り付けられてよく、ケージ１０６１（図７）の上向き端部１０７９内に収容されるように下方に延在し得る。また、ストランド１０８２の中間部１１０２は、ケージ１０６１の中間部１０４５を通って延在してよい。また、ストランド１０８６の端部１１０４は、端部１０９１を通ってケージ１０６１から外に延在してよく、外側面１０２０の最後部のひも穴１０３３に作用可能に結合され得る。
【００５７】
このようにして、前述の各実施形態と同様に、ストランド１０８２、１０８４、１０８６は、甲部１０１２（および具体的には甲部１０１２の閉合領域１０２３、１０３１）を靴底構造体１０１４に作用可能に結合することができる。また、図４および図６に関して前述したように、ストランド１０８２、１０８４、１０８６内の張力によってブラダー１０５８と、靴底構造体１０１４の他の部分を屈曲させることができる。また、ケージ１０６１は、ストランド１０８２、１０８４、１０８６からブラダー１０５８上に力を分散させることによって、ブラダー１０５８を補強し、保護するのに役立ち得る。
【００５８】
前述のように、履物１０１０は、引張構造体１０１７（すなわちヒール引張構造体）も含み得る。例示の実施形態では、この構造体１０１７は、ヒールストラップ１０２５を靴底構造体１０１４に作用可能に結合する１つまたは複数のストランド１１１０、１１１２、１１１４を含み得る。ストランド１０８２、１０８４、１０８６と同様に、ストランド１１１０、１１１２、１１１４は、ヒールストラップ１０２５から離れる方向に扇形に延在し、ヒールストラップ１０２５に向かう方向に収束して延在する。
【００５９】
具体的には、ストランド１１１０の端部１１１６は、接着剤により、または留め具により、またはヒールストラップ１０２５の端部１０２７に結びつけられることによって、または別の方法によって、ヒールストラップ１０２５の端部１０２７に取り付けられ得る。また、端部１１１６は、ケージ１０６１の上向き端部１０６９内に収容されるように甲部１０１２の内側面１０１８にわたって延在してもよい。また、ストランド１１１０の中間部１１１８は、ケージ１０６１の中間部１０４１を通って延在してよく、ストランド１１１０の端部１１２０は、上向き端部１０８１を通ってケージ１０６１から出ることができる。ストランド１１１０の端部１１２０は、ヒールストラップ１０２５の端部１０２９に取り付けられるように甲部１０１２を横切って延在し得る。この場合も、端部１１２０は、接着剤により、または留め具により、または端部１０２９に結びつけられることによって、または別の方法によって、ヒールストラップ１０２５に取り付けられ得る。
【００６０】
ストランド１１１２、１１１４も同様に、履物１０１０内に組み込まれ得る。ただし、ストランド１１１２の端部１１２２は、ヒールストラップ１０２５の端部１０２７から上向き端部１０７３を通ってケージ１０６１内に延在し得る。また、ストランド１１１２の中間部１１２４は、中間部１０４３を通って延在してよく、ストランド１１１２の端部１１２６は、ヒールストラップ１０２５の端部１０２９に結合するように上向き端部１０８５を通ってケージ１０６１を出てよい。また、ストランド１１１４の端部１１２８は、ヒールストラップ１０２５の端部１０２７から上向き端部１０７７を通ってケージ１０６０内に延在してよい。また、ストランド１１１４の中間部１１３０は、中間部１０４５を通って延在してよく、ストランド１１１４の端部１１３２は、ヒールストラップ１０２５の端部１０２９と結合するように上向き端部１０８９を通ってケージ１０６１を出てよい。
【００６１】
したがって、ストランド１０８２、１０８４、１０８６に関して前述したように、ストランド１１１０、１１１２、１１１４における張力の増大によってブラダー１０５８を屈曲させることができ、ヒールストラップ１０２５を着用者の踵に向かって引っ張ることもできる。ストランド１０８２、１０８４、１０８６に張力をかけることによってブラダー１０５８の体積と圧力も変化し、着用者の足を、よりよくサポートすることもできる。また、（たとえばウォーキングやランニング中の）足の足底屈と背屈との繰り返しがブラダー１０５８の周期的な交互の屈曲を生じさせ、ヒールストラップ１０２５が着用者の踵に向かって引っ張られる。したがって、履物１０１０がいわゆる「アクティブフィット」するように、着用者の足の屈曲時に履物１０１０の合い具合が適応可能である。
【００６２】
要約すると、本明細書に記載の履物１０、１０１０は、着用者に快適性とサポートを与えることができる。また、快適性、安定性、およびサポートが向上するように、靴ひも３４、１０３４を結ぶとき、および／または、着用者の足の屈曲時に、履物１０、１０１０の合い具合が適応可能である。したがって、着用者は、運動、ランニング、跳躍、横跳び、旋回、およびその他の作用を向上した能力およびパフォーマンスで行うことができる。
【００６３】
上記および添付図面において、様々な構成を参照しながら本発明を開示している。しかし、本開示の目的は、本発明に関する様々な特徴および概念の一例を提供することであり、本発明の範囲を限定することではない。当業者なら、添付の特許請求の範囲で規定されている本発明の範囲を逸脱することなく、上記の構成に多くの変形および変更を加えることができることがわかるであろう。
【符号の説明】
【００６４】
１０、１０１０  履物
１２、１０１２  甲部
１４、１０１４  靴底構造体
１６、１０１６、１０１７  引張構造体
１８、１０１８  内側面
２０、１０２０  外側面
２２  前足領域
２３  閉合領域
２４  踵領域
２６  舌皮
３１、１０２３、１０３１  閉合領域
３２  上下方向
３３、１０３３  ひも穴
３４、１０３４  靴ひも
３６、１０３６  アウトソール
３８、４０、４２、１０３８、１０４０、１０４２、１０４３  パッド
４４、１０４４  ミッドソール
４６、４８、５０、１０４６  ブロック
５１  接合部
５３  溝状模様
５８、１０５８  ブラダー
５７、６０、６２  小室部
６４  開口部
７０、７２、７４  トンネル部材
７６、７８、８０  トンネル
８２、８４、８６、１０８２、１０８４、１０８６、１１１０、１１１２、１１１４  ストランド
１０２５  ヒールストラップ
１０５９  チャネル
１０６１  ケージ
１０６３、１０６５、１０６７  通路
１０６９、１０７１、１０７３、１０７７、１０７９、１０８１、１０８３、１０８５、１０８９、１０９１  上向き端部
【図１】
2016512784.tif 000003
【図２】
2016512784.tif 000004
【図３】
2016512784.tif 000005
【図４】
2016512784.tif 000006
【図５】
2016512784.tif 000007
【図６】
2016512784.tif 000008
【図７】
2016512784.tif 000009
【図８】
2016512784.tif 000010
【国際調査報告】
2016512784.tif 000011
2016512784.tif 000012
2016512784.tif 000013
2016512784.tif 000014